(57)【要約】【課題】  ダイバーシティ受信を行うことができ、外部アンテナが接続された場合には、受信状態の良好な方の外部アンテナか内部アンテナを選択できるようにして受信性能の向上を図るとともに、受信状態が悪化した場合には、ダイバーシティ受信のための２系統のうち１系統の動作を停止させて消費電力の低減性能の向上を図った受信装置および受信方法を提供する。【解決手段】  外部アンテナ１０ａ，１０ｂが接続されている場合に、ＣＤＭ復調・エラー訂正部１０２によるエラー率が所定の閾値より大きいときは、外部アンテナ１０ａ，１０ｂから内部アンテナ１２ａ，１２ｂに切り換え、それでもエラー率が所定の閾値より大きいときは、第２のチューナ部１０１ｂ、およびＣＤＭ復調・エラー訂正部１０２の第２系統に係る部分を停止させる。【選択図】      図４
2006094360.tif 000002
【特許請求の範囲】
【請求項１】
第１の内部アンテナあるいは第１の外部アンテナからの受信信号を処理する第１系統の受信回路と、
第２の内部アンテナあるいは第２の外部アンテナからの受信信号を処理する第２系統の受信回路と、
前記第１および第２の内部アンテナ、あるいは前記第１および第２の外部アンテナを前記第１系統および第２系統の受信回路にそれぞれ接続するアンテナ切換器と、
前記内部アンテナあるいは前記外部アンテナによる前記受信信号の受信状態に基づいて、前記アンテナ切換器を制御するとともに前記第２系統の受信回路の全部あるいは一部を停止させる制御部とを備えたことを特徴とする受信装置。
【請求項２】
前記第１および第２の外部アンテナは、それぞれ第１および第２の外部入力端子に着脱可能に構成され、
前記第１の外部入力端子は、常時有効な外部入力端子であることを示す識別情報を有する請求項１に記載の受信装置。
【請求項３】
前記第１および第２の外部アンテナは、それぞれ第１および第２の外部入力端子に着脱可能に構成され、
前記制御部は、前記第１および第２の外部アンテナのいずれもが前記第１および第２の外部入力端子に接続されていないとき、前記アンテナ切換器を制御して前記第１および第２の内部アンテナを前記第１系統および第２系統の受信回路に接続させる請求項１に記載の受信装置。
【請求項４】
前記制御部は、前記受信信号の電界強度が所定の値よりも小さいとき、前記第１および第２の外部アンテナのいずれもが前記第１および第２の外部入力端子に接続されていないことを判断する請求項３に記載の受信装置。
【請求項５】
前記制御部は、前記第１および第２の外部アンテナが前記第１系統および第２系統の受信回路に接続されている場合に、前記第１および第２の外部アンテナによる前記受信状態が良好でないとき、前記アンテナ切換器を制御して前記第１および第２の内部アンテナを前記第１系統およびは第２系統の受信回路に接続させる請求項１に記載の受信装置。
【請求項６】
前記制御部は、前記第１および第２の内部アンテナが前記第１系統および第２系統の受信回路に接続されている場合に、前記第１および第２の内部アンテナによる前記受信状態が良好でないとき、前記第２系統の受信回路の全部あるいは一部を停止させる請求項１に記載の受信装置。
【請求項７】
前記制御部は、前記第１および第２の外部アンテナが前記第１系統および第２系統の受信回路に接続されている場合に、前記第１および第２の外部アンテナによる前記受信状態が良好でないとき、前記アンテナ切換器を制御して前記第１および第２の内部アンテナを前記第１系統および第２系統の受信回路に接続させ、前記第１および第２の内部アンテナが前記第１系統および第２系統の受信回路に接続されている場合に、前記第１および第２の内部アンテナによる前記受信状態が良好でないとき、前記第２系統の受信回路の全部あるいは一部を停止させる請求項１に記載の受信装置。
【請求項８】
前記受信回路は、前記受信信号の誤り訂正回路を備え、
前記制御部は、前記誤り訂正回路により判定された誤り率が所定の値より大きいとき、前記受信状態が良好でないと判断する請求項５、６又は７に記載の受信装置。
【請求項９】
前記制御部は、前記受信信号の電界強度が所定の値より小さいとき、前記受信状態が良好でないと判断する請求項５、６又は７に記載の受信装置。
【請求項１０】
第１および第２の受信回路を起動する受信回路起動段階と、
前記第１および第２の受信回路に接続されるアンテナの種類を確認する前記アンテナ確認段階と、
確認された前記アンテナが内部アンテナであるとき、前記内部アンテナによる送信信号の受信状態を確認する受信状態確認段階と、
前記受信状態が良好であるとき、前記内部アンテナを介して第１および第２の受信回路で前記送信信号を受信する受信段階とを含むことを特徴とする受信方法。
【請求項１１】
第１および第２の受信回路を起動する受信回路起動段階と、
前記第１および第２の受信回路に接続されるアンテナの種類を確認する前記アンテナ確認段階と、
確認された前記アンテナが内部アンテナであるとき、前記内部アンテナによる送信信号の受信状態を確認する受信状態確認段階と、
前記内部アンテナによる前記送信信号の受信ができないとき、前記第２の受信回路を停止させる受信回路停止段階を含むことを特徴とする受信方法。
【請求項１２】
第１および第２の受信回路を起動する受信回路起動段階と、
前記第１および第２の受信回路に接続されるアンテナの種類を確認する前記アンテナ確認段階と、
確認された前記アンテナが外部アンテナであるとき、前記外部アンテナによる送信信号の受信状態を確認する受信状態確認段階と、
前記外部アンテナによる前記送信信号の受信ができないとき、内部アンテナによる前記送信信号の受信状態を確認する内部アンテナ確認段階と、
前記内部アンテナによる前記受信状態が良好であるとき、前記内部アンテナを介して第１および第２の受信回路で前記送信信号を受信する受信段階とを含むことを特徴とする受信方法。
【請求項１３】
第１および第２の受信回路を起動する受信回路起動段階と、
前記第１および第２の受信回路に接続されるアンテナの種類を確認する前記アンテナ確認段階と、
確認された前記アンテナが外部アンテナであるとき、前記外部アンテナによる送信信号の受信状態を確認する受信状態確認段階と、
前記外部アンテナによる前記送信信号の受信ができないとき、内部アンテナによる前記送信信号の受信状態を確認する内部アンテナ確認段階と、
前記内部アンテナによる前記送信信号の受信ができないとき、前記第２の受信回路を停止させる受信回路停止段階を含むことを特徴とする受信方法。
【発明の詳細な説明】
【技術分野】
【０００１】
本発明は、モバイル衛星放送システムに好適な受信装置および受信方法に関する。
【背景技術】
【０００２】
近年、主に移動体向けのモバイル衛星デジタル放送システムでは、衛星からの放送波が届かない範囲でも、受信可能とするため、ギャップフィラー（再送中継器）を設置して衛星からの放送波を中継して再送する方法を採用している。
【０００３】
しかし、衛星とギャップフィラー間、あるいはギャップフィラーとギャップフィラー間などでは、良好な受信状態が得られない場合もあり、そのような場合にも待ち受け状態にしておくと、消費電力の無駄を招く。
【０００４】
このため従来の携帯型の受信装置として、受信品質検出結果を基準値と比較して受信品質が悪いときは、ＣＤＭ(Code Division Multiple：符号分割多重)・エラー訂正部およびデコーダ部の全部または一部を停止させ、パワーセーブモードにする装置が提案されている（例えば、特許文献１参照）。
【０００５】
上記構成によれば、パワーセーブモードに移行した場合、信号受信処理または受信復調処理を行わないため、消費電力を低減することができる。
【０００６】
一方、従来の携帯型の受信装置として、一対の内部アンテナによりダイバーシティ受信するとともに、スイッチの切換によって一対の内部アンテナの一方と外部アンテナによりダイバーシティ受信する装置が提案されている（例えば、特許文献２参照）。
【特許文献１】特開２００３−２８３４１３号公報（段落００１４、図１）
【特許文献２】特開２００２−９４３２４号公報（段落００１７、図３）
【発明の開示】
【発明が解決しようとする課題】
【０００７】
しかし、特許文献１の受信装置によると、ダイバーシティ受信を行うことができず、受信性能の点で劣る。また、特許文献２の受信装置によると、ダイバーシティ受信を行っているため、受信性能の点では優れているが、消費電力の低減については何ら開示されていない。
【０００８】
従って、本発明の目的は、ダイバーシティ受信を行うことができ、外部アンテナが接続された場合には、受信状態が良好な方の外部アンテナか内部アンテナを選択できるようにして受信性能の向上を図るとともに、受信状態が悪化した場合には、ダイバーシティ受信のための２系統のうち１系統の動作を停止させて消費電力の低減性能の向上を図った受信装置および受信方法を提供することにある。
【課題を解決するための手段】
【０００９】
本発明は、上記目的を達成するため、第１の内部アンテナあるいは第１の外部アンテナからの受信信号を処理する第1系統の受信回路と、第２の内部アンテナあるいは第２の外部アンテナからの受信信号を処理する第２系統の受信回路と、前記第１および第２の内部アンテナ、あるいは前記第１および第２の外部アンテナを前記第１系統および第２系統の受信回路にそれぞれ接続するアンテナ切換器と、前記内部アンテナあるいは前記外部アンテナによる前記受信信号の受信状態に基づいて、前記アンテナ切換器を制御するとともに前記第２系統の受信回路の全部あるいは一部を停止させる制御部とを備えたことを特徴とする受信装置を提供する。
【００１０】
また、本発明は、上記目的を達成するため、第１および第２の受信回路を起動する受信回路起動段階と、前記第１および第２の受信回路に接続されるアンテナの種類を確認する前記アンテナ確認段階と、確認された前記アンテナが内部アンテナであるとき、前記内部アンテナによる送信信号の受信状態を確認する受信状態確認段階と、前記受信状態が良好であるとき、前記内部アンテナを介して第１および第２の受信回路で前記送信信号を受信する受信段階とを含むことを特徴とする受信方法を提供する。
【００１１】
また、本発明は、上記目的を達成するため、第１および第２の受信回路を起動する受信回路起動段階と、前記第１および第２の受信回路に接続されるアンテナの種類を確認する前記アンテナ確認段階と、確認された前記アンテナが内部アンテナであるとき、前記内部アンテナによる送信信号の受信状態を確認する受信状態確認段階と、前記内部アンテナによる前記送信信号の受信ができないとき、前記第２の受信回路を停止させる受信回路停止段階を含むことを特徴とする受信方法を提供する。
【００１２】
また、本発明は、上記目的を達成するため、第１および第２の受信回路を起動する受信回路起動段階と、前記第１および第２の受信回路に接続されるアンテナの種類を確認する前記アンテナ確認段階と、確認された前記アンテナが外部アンテナであるとき、前記外部アンテナによる送信信号の受信状態を確認する受信状態確認段階と、前記外部アンテナによる前記送信信号の受信ができないとき、内部アンテナによる前記送信信号の受信状態を確認する内部アンテナ確認段階と、前記内部アンテナによる前記受信状態が良好であるとき、前記内部アンテナを介して第１および第２の受信回路で前記送信信号を受信する受信段階とを含むことを特徴とする受信方法を提供する。
【００１３】
また、本発明は、上記目的を達成するため、第１および第２の受信回路を起動する受信回路起動段階と、前記第１および第２の受信回路に接続されるアンテナの種類を確認する前記アンテナ確認段階と、確認された前記アンテナが外部アンテナであるとき、前記外部アンテナによる送信信号の受信状態を確認する受信状態確認段階と、前記外部アンテナによる前記送信信号の受信ができないとき、内部アンテナによる前記送信信号の受信状態を確認する内部アンテナ確認段階と、前記内部アンテナによる前記送信信号の受信ができないとき、前記第２の受信回路を停止させる受信回路停止段階を含むことを特徴とする受信方法を提供する。
【発明の効果】
【００１４】
本発明によれば、ダイバーシティ受信を行うことができ、外部アンテナが接続された場合には、受信状態が良好な方の外部アンテナか内部アンテナを選択できるようにして受信性能の向上を図るとともに、受信状態が悪化した場合には、ダイバーシティ受信のための２系統のうち１系統の動作を停止させて消費電力の低減効果を得ることができる。
【発明を実施するための最良の形態】
【００１５】
（受信装置の構成）
図１は、本発明の実施の形態に係る受信装置の概観図である。この受信装置１は、一対の内部アンテナを内蔵するとともに、一対の外部アンテンが接続可能な本体部２と、本体部２の上部にヒンジ部３によって開閉可能に設けられたラップトップ部４とを有し、一対のアンテナのうち受信状態が良好な方のアンテナを選択して受信するダイバシティー受信ができるように構成されている。
【００１６】
本体部２は、略矩形状の筐体を有し、筐体の上面２ａには、操作スイッチ群５が設けられ、筐体の前面２ｂには、受信装置１の電源のＯＮ／ＯＦＦ用の電源スイッチ６が設けられ、筐体の側面２ｃには、操作スイッチ群５による操作の有効／無効の切替を行うホールドスイッチ７と、ヘッドホンのプラグが差し込まれるヘッドホン端子８が設けられている。
【００１７】
ラップトップ部４には、デジタル放送の画像を表示する液晶ディスプレイ、有機ＥＬディスプレイ等からなる画像表示部１５０が設けられている。
【００１８】
図２は、外部アンテナを接続した状態の本体部２の背面側を示す図である。この受信装置１は、本体部２の背面２ｄに、第１および第２の外部アンテナ１０ａ，１０ｂがそれぞれ外部アンテナ入力端子１１ａ，１１ｂに接続可能となっている。なお、第１および第２の外部アンテナ１０ａ，１０ｂのうち第１の外部アンテナ１０ａの側を省電力モードにおいて常時有効なアンテナとする。また、単品のアンテナを常時有効な方の外部アンテナ入力端子１１ａに接続して使用してもよい。
【００１９】
常時有効な方の外部アンテナ入力端子１１ａは、他方の外部アンテナ入力端子１１ｂの形状（例えば矩形）とは異なる形状（例えば八角形）を有しており、誤接続を防止するため、これらに対応するアンテナ１０ａ，１０ｂ側のコネクタも互いに異なる形状を有している。外部アンテナ入力端子１１ａ，１１ｂの形状が識別情報としての機能を果たすため、常時有効なアンテナ入力端子なのか、その他のアンテン入力端子なのかを本装置１の使用者が容易に判断でき、単品のアンテナを接続するような場合に、誤接続を回避することができる。なお、外部アンテナ入力端子１１ａ，１１ｂおよびコネクタの形状は、視覚的に識別できる形状なら特に限定されない。また、識別情報としては、文字，図形，記号等の表示でもよい。
【００２０】
図３は、受信装置１の受信系の構成を示すブロック図である。この受信装置１は、第１および第２の外部アンテナ１０ａ，１０ｂ、あるいは後述する第１および第２の内部アンテナ１２ａ，１２ｂで受信されたデジタル衛星放送を選局する受信部１００と、受信部１００で選局されたデジタル衛星放送のＴｒａｎｓｐｏｒｔ  ＳｔｒｅａｍをＤｅｍｕｘ処理するＴＳ（Transport Stream）処理部１１０と、ＴＳ処理部１１０の出力信号をデコード処理するデコード部１２０と、デコード部１２０の出力信号に所定のグラフィックを重畳するグラフィック重畳部１３０と、グラフィックが重畳された信号を映像処理する映像受信回路１４０と、映像受信回路１４０からの映像信号を表示する画像表示部１５０と、ＡＣ３等の音声圧縮のデコード処理を行ってスピーカ１７０に音声信号を出力する音声受信回路１６０と、受信装置１の各部を制御するＣＰＵ１８０と、半導体やＤＶＤ、ＨＤＤ、ＶＴＲ等のメモリ１９０と、ＣＰＵ１８０に制御され、受信装置１の各部に電力を供給する電源２００とを備える。
【００２１】
図４は、受信部１００の構成を示すブロック図である。第１および第２の外部アンテナ１０ａ，１０ｂおよび第１および第２の内部アンテナ１２ａ，１２ｂは、それぞれ低雑音増幅器（ＬＮＡ：Low Noise Amplifier）１３ａ，１３ｂ，１４ａ，１４ｂおよびアンテナ切換器１５を介して受信部１００に接続されている。内部アンテナ１２ａ，１２ｂ、ＬＮＡ１３ａ，１３ｂ，１４ａ，１４ｂ、アンテナ切換器１５および受信部１００は、本体部２の内部に配置されている。
【００２２】
アンテナ切換器１５は、第１および第２の外部アンテナ１０ａ，１０ｂ側にそれぞれ接続された接点ａｏ，ｂｏと、第１および第２の内部アンテナ１２ａ，１２ｂ側にそれぞれ接続された接点ａｉ，ｂｉと、切換信号に基づいて接点ａｏあるいは接点ａｉに接続するスイッチ１５ａと、切換信号に基づいて接点ｂｏあるいは接点ｂｉに接続するスイッチ１５ｂとを備える。
【００２３】
受信部１００は、第１の外部アンテナ１０ａあるいは第１の内部アンテナ１２ａで受けたＣＤＭ無線信号を受信検波する第１のチューナ部１０１ａと、第２の外部アンテナ１０ｂあるいは第２の内部アンテナ１２ｂで受けたＣＤＭ無線信号を受信検波する第２のチューナ部１０１ｂと、第１および第２のチューナ部１０１ａ，１０１ｂの後段に設けられ、ＣＤＭ無線信号を復調するとともに、その復調信号に誤り訂正処理を施して後段の再生処理系に出力するＣＤＭ(Code Division Multiple：符号分割多重)復調・エラー訂正部１０２と、ＣＤＭ復調・誤り訂正部１０２およびアンテナ切換器１５を制御する受信制御部１０３とを備える。
【００２４】
なお、第１のチューナ部１０１ａ、およびＣＤＭ復調・誤り訂正部１０２の第１のアンテナ１０ａ，１２ａからの受信信号を処理する部分により第１系統の受信回路を構成する。
第２のチューナ部１０１ｂ、およびＣＤＭ復調・誤り訂正部１０２の第２のアンテナ１０ｂ，１２ｂからの受信信号を処理する部分により第２系統の受信回路を構成する。
【００２５】
（受信装置の動作）
次に、この受信装置１の省電力モードの動作について図５のフローチャートに従って説明する。なお、以下の動作説明では、特に記述がない限り受信制御部１０３が行うものとする。
【００２６】
まず、受信制御部１０３は、第１系統および第２系統の受信回路を起動し（Ｓ１）、外部アンテナ１０ａ，１０ｂが接続されているか否かをチェックする（Ｓ２）。すなわち、受信制御部１０３は、アンテナ切換器１５に切換信号を出力してスイッチ１５ａ，１５ｂを接点ａｏ，ｂｏに接触させ、外部アンテナ１０ａ，１０ｂによる受信信号の電界強度を検出し、それが所定の値以上か否かを判断することにより、外部アンテナ１０ａ，１０ｂが接続されているか否かをチェックする。なお、外部アンテナ１０ａ，１０ｂのうちいずれか一方でも外部入力端子１１ａ，１１ｂに接続されている場合も外部アンテナが接続されていると判断してもよい。
【００２７】
上記ステップＳ２において、外部アンテナ１０ａ，１０ｂが接続されている場合は、ＣＤＭ復調・エラー訂正部１０２によるエラー訂正処理の結果を利用してエラー率をチェックする（Ｓ３）。そのエラー率が所定の閾値より大きいか否かを判断し（Ｓ４）、エラー率が所定の閾値より小さい場合は、受信状態が良好であるので、第１系統および第２系統の受信回路で受信を継続する（Ｓ５）。すなわち、ダイバーシティ受信により第１および第２のアンテナ１０ａ，１０ｂのうち受信状態の良好な方の第１あるいは第２のアンテナ１０ａ，１０ｂを選択して受信を行う。
【００２８】
上記ステップＳ４において、エラー率が所定の閾値より大きい場合は、受信状態が悪化したので、アンテナ切換器１５に切換信号を出力して外部アンテナ１０ａ，１０ｂから内部アンテナ１２ａ，１２ｂに切り換える（Ｓ６）。ＣＤＭ復調・エラー訂正部１０２によるエラー訂正処理の結果を利用してエラー率をチェックする（Ｓ７）。そのエラー率が所定の閾値より大きいか否かを判断し（Ｓ８）、エラー率が所定の閾値より小さい場合は、受信状態が良好であるので、第１系統および第２系統の受信回路で受信を継続する（Ｓ５）。
【００２９】
上記ステップＳ８において、エラー率が所定の閾値より大きい場合は、受信状態が悪化したので、第２系統の受信回路をダウンさせる（Ｓ７）。すなわち、第２のチューナ部１０１ｂ、およびＣＤＭ復調・エラー訂正部１０２の第２系統に係る部分を停止させる。
【００３０】
（受信装置の効果）
この受信装置１によれば、以下の効果が得られる。
（イ）第１系統および第２系統の受信回路を備えているため、ダイバーシティ受信を行うことができ、また、外部アンテナ１０ａ，１０ｂが接続された場合には、受信状態の良好な方の外部アンテナ１０ａ，１０ｂか内部アンテナ１２ａ，１２ｂを選択できるようにしているので、受信性能の向上を図ることができる。
（ロ）受信状態が悪化した場合には、ダイバーシティ受信のための２系統のうち１系統の動作を停止させているので、消費電力の低減性能の向上を図ることができる。
【００３１】
なお、本発明は、上記実施の形態に限定されず、その発明の要旨を変更しない範囲内で種々変形が可能である。例えば、上記実施の形態では、外部アンテナが接続されているか否かの判断を、受信信号の電界強度を検出して行ったが、外部アンテナ入力端子の接続状態を検出して行ってもよい。
【００３２】
また、上記実施の形態では、外部アンテナから内部アンテナへの切換え、第２系統の受信回路のダウンを、エラー率を検出して行ったが、受信信号の電界強度を検出して行なってもよい。
【図面の簡単な説明】
【００３３】
【図１】本発明の実施の形態に係る受信装置の外観を示す斜視図である。
【図２】本発明の実施の形態に係る受信装置の本体部の背面側を示す図である。
【図３】本発明の実施の形態に係る受信装置の受信処理系を示すブロック図である。
【図４】本発明の実施の形態に係る受信装置のアンテナから復調出力に至る処理系を示す図である。
【図５】本発明の実施の形態に係る受信装置の動作を示すフローチャートである。
【符号の説明】
【００３４】
１  受信装置
２  本体部
２ａ  上面
２ｂ  前面
２ｃ  側面
２ｄ  背面
３  ヒンジ部
４  ラップトップ部
５  操作スイッチ群
６  電源スイッチ
７  ホールドスイッチ
８  ヘッドホン端子
１０ａ，１０ｂ  外部アンテナ
１１ａ，１１ｂ  外部アンテナ入力端子
１２ａ，１２ｂ  内部アンテナ
１３ａ，１３ｂ，１４ａ，１４ｂ  ＬＮＡ
１５  アンテナ切換器
１５ａ，１５ｂ  スイッチ
１００  受信部
１０１ａ，１０１ｂ  チューナ部
１０２  復調・エラー訂正部
１０３  受信制御部
１１０  ＴＳ処理部
１２０  デコード部
１３０  グラフィック重畳部
１４０  映像受信回路
１５０  画像表示部
１６０  音声受信回路
１７０  スピーカ
１９０  メモリ
２００  電源
ａｉ，ａｏ，ｂｉ，ｂｏ        接点
【図１】
2006094360.tif 000003
【図２】
2006094360.tif 000004
【図３】
2006094360.tif 000005
【図４】
2006094360.tif 000006
【図５】
2006094360.tif 000007